(57)【要約】【課題】  周波数拡散された伝送信号の受信において、受信待ち状態での消費電力を低減する。【解決手段】  動作状態と停止状態が切り替え可能な複数の帯域通過フィルタ部１１ａ〜１１ｂおよび複数の遅延検波部１２ａ〜１２ｂと、遅延検波部の出力から一つを選択するか一つの信号を合成する合成部１３と、ダウンサンプリングを行うダウンサンプラー部１４と、符号間干渉を除去するロールオフフィルタ部１５と、プリアンブルを検出するプリアンブル検出部１７と、ヘッダ情報の解析を行いパケットの組立を行うパケット処理部１６とを備え、パケットデータ待機時は帯域通過フィルタ部および遅延検波部のうち一系統以外は停止させ、プリアンブル検出後は全ての処理ブロックを動作させてパケットデータを受信し、受信終了後は再びパケットデータ待機状態に戻す。【選択図】  図１
2006115071.tif 000002
【特許請求の範囲】
【請求項１】
周波数拡散された伝送信号の受信装置であって、それぞれが個別に動作状態と停止状態の切り替えが可能で、それぞれが異なる通過周波数帯域を有する複数の帯域通過フィルタ部と、それぞれが個別に動作状態と停止状態の切り替えが可能で、前記複数の帯域通過フィルタ部にそれぞれ接続された複数の遅延検波部と、前記複数の遅延検波部の出力信号の一つを選択するか、または前記複数の遅延検波部の出力信号から一つの信号を合成する合成部と、前記合成部の出力信号からダウンサンプリングを行うダウンサンプラー部と、前記ダウンサンプラー部の出力信号から符号間干渉を除去するロールオフフィルタ部と、前記ロールオフフィルタ部の出力信号からプリアンブルパターンを検出するプリアンブル検出部と、前記ロールオフフィルタ部の出力信号からパケットデータのヘッダ情報の解析を行いパケットの組立を行うパケット処理部とを含む処理ブロックを備え、前記プリアンブル検出部がプリアンブルパターンを検出するまでは、前記帯域通過フィルタ部および前記遅延検波部のうち少なくとも一つの処理ブロックを停止状態にしたパケットデータ待機状態で受信動作を行い、プリアンブルパターンが検出された後はパケットデータの受信が完了するまで全ての前記処理ブロックを動作させて受信動作を行い、パケットデータの受信終了後は再び前記パケットデータ待機状態に戻り受信動作を行うことを特徴とした受信装置。
【請求項２】
請求項１記載の受信装置において、前記パケットデータ待機状態において、前記複数の帯域通過フィルタ部のうち一つの帯域通過フィルタ部のみを動作状態にし、他の帯域通過フィルタ部を停止状態にすることを特徴とした受信装置。
【請求項３】
請求項１記載の受信装置において、前記パケットデータ待機状態において、前記複数の遅延検波部のうち一つの遅延検波部のみを動作状態にし、他の遅延検波部を停止状態にすることを特徴とした受信装置。
【請求項４】
請求項１記載の受信装置において、前記パケットデータ待機状態において、前記複数の帯域通過フィルタ部と前記帯域通過フィルタ部にそれぞれ接続された複数の遅延検波部のうち一つの系統の帯域通過フィルタ部と遅延検波部のみを動作状態にし、他の系統の帯域通過フィルタ部と遅延検波部を停止状態にすることを特徴とした受信装置。
【請求項５】
請求項１記載の受信装置において、前記ダウンサンプラー部は一部の回路について動作状態と停止状態の切り替えが可能であり、前記パケットデータ待機状態において、前記ダウンサンプラー部の一部の回路を停止状態にすることを特徴とした受信装置。
【請求項６】
請求項１記載の受信装置において、前記ロールオフフィルタ部は一部の回路について動作状態と停止状態の切り替えが可能であり、前記パケットデータ待機状態において、前記ロールオフフィルタ部の一部の回路を停止状態にすることを特徴とした受信装置。
【請求項７】
請求項１記載の受信装置において、前記プリアンブル検出部は、前記ロールオフフィルタ部の出力信号からプリアンブルパターンを検出する代わりに、前記合成部の出力信号からプリアンブルパターンを検出することを特徴とした受信装置。
【請求項８】
請求項７記載の受信装置において、前記ダウンサンプラー部は動作状態と停止状態の切り替えが可能であり、前記パケットデータ待機状態において、前記ダウンサンプラー部を停止状態にすることを特徴とした受信装置。
【請求項９】
請求項７記載の受信装置において、前記ロールオフフィルタ部は動作状態と停止状態の切り替えが可能であり、前記パケットデータ待機状態において、前記ロールオフフィルタ部を停止状態にすることを特徴とした受信装置。
【請求項１０】
請求項１記載の受信装置において、前記合成部の出力信号と前記複数の遅延検波部の出力信号とを比較し、前記合成部の出力信号と最も差異の小さい信号を出力している遅延検波部を検知する比較検出部を備え、前記パケットデータ待機状態において、前記複数の帯域通過フィルタ部と前記帯域通過フィルタ部にそれぞれ接続された複数の遅延検波部のうち前記比較検出部で前記合成部の出力信号と最も差異の小さい信号を出力していることが検知された一系統の帯域通過フィルタ部と遅延検波部のみを動作状態にし、他の系統の帯域通過フィルタ部と遅延検波部を停止状態にすることを特徴とした受信装置。
【請求項１１】
請求項１０記載の受信装置において、前記パケットデータ待機状態において一定時間の経過が検出された直後のプリアンブルパターンの検出に際しては、全ての前記帯域通過フィルタ部と全ての前記遅延検波部を動作させることを特徴とした受信装置。
【発明の詳細な説明】
【技術分野】
【０００１】
本発明は通信における周波数拡散された伝送信号の受信装置に関し、特に受信待ち状態における消費電力低減を可能にする技術に関する。
【背景技術】
【０００２】
家庭内で多くの電気製品が普及した今日、その多くの電気製品をネットワークに接続して一括制御しようとする商品やサービスが現れてきた。この家庭内ネットワークを構築する技術としては、その通信手段として従来イーサネットを使う方法や無線ＬＡＮを使用するものがあり、また、宅内配線されている電灯線を通信媒体として使う手法もある。
【０００３】
電灯線通信についてはネットワーク構築のための新たな配線工事が不要な点で施設コストがかからない手法として注目されており、その変調方式として直接周波数拡散方式が採用されている（例えば、非特許文献１参照）。
【０００４】
以下、従来の周波数拡散された伝送信号の受信装置について説明する。図５は従来の周波数拡散された伝送信号の受信装置の構成例を示すブロック図である。本例では受信した伝送信号の周波数帯域を２分割して各々を復調する。
【０００５】
図５において、５１ａ、５１ｂは受信した伝送信号の一部の周波数帯域を取り出す帯域通過フィルタ部、５２ａ、５２ｂは各帯域通過フィルタ部を経由した信号を復調する遅延検波部、５３は各遅延検波部で復調された信号から一つのみを選択するかもしくは複数の信号から一つの信号を合成する合成部、５４は合成部の出力信号からダウンサンプリングを行うダウンサンプラー部、５５はダウンサンプラー部の出力から符号間干渉を除去するロールオフフィルタ部、５６はロールオフフィルタ部から出力される復調信号からパケットデータのヘッダ情報を解析しパケットの組立を行うパケット処理部、５７はロールオフフィルタ部から出力される復調信号からプリアンブルパターンを検出するプリアンブル検出部を示す。
【０００６】
本従来例の受信装置の動作について以下に説明する。パケットデータは先頭にデータの開始前を表すプリアンブルパターンが付加され、それが変調され周波数拡散されて伝送信号となる。その伝送信号が帯域通過フィルタ５１ａ〜５１ｂに入力され、各々周波数帯域の異なった帯域通過出力が遅延検波部５２ａ〜５２ｂに入力されて復調される。
【０００７】
遅延検波部５２ａ〜５２ｂによって得られた各々周波数帯域の異なる信号の復調出力が、合成部５３により、そのいずれかの入力一つか、もしくは二入力の合成出力のいずれかが選択され、パケット処理部５６とプリアンブル検出部５７へ出力される。
【０００８】
プリアンブル検出部５７では、合成部５３からの入力からプリアンブルパターンを検出するとパケット処理部５６に対してパケット処理の開始を通知し、その通知にしたがってパケット処理部５６がパケットデータの組立を行いパケットデータとして出力する。
【０００９】
一方、これらの受信装置においては、常時動作させておく必要があるため、受信待ち状態における電力消費が問題となる。そのような受信装置の消費電力低減策として、携帯型移動機において電力消費の大きな無線復調部の電源をオン／オフして間欠受信動作をさせるものが知られている（例えば、特許文献１参照）。
【特許文献１】特開平１１−２３４７１８号公報
【非特許文献１】エコーネットコンソーシアム、エコーネット規格書、［平成１６年９月８日検索］、インターネット＜URL:http://www.echonet.gr.jp＞
【発明の開示】
【発明が解決しようとする課題】
【００１０】
上記従来例の場合、新しいパケットのプリアンブルを検出するまで回路を常時動作させておく必要があり、受信待ち状態においても電力を消費するという問題があった。また、携帯型移動機で無線復調部の電源をオン／オフして間欠受信動作をさせるものはあったが、上記従来例のような場合に適用して消費電力を低減する構成のものは無かった。
【００１１】
本発明は上記従来の問題点を解決するためになされたもので、周波数拡散された伝送信号の受信において、受信待ち状態での回路動作を適切に制限することにより、消費電力を低減することができる受信装置を提供することを目的とする。
【課題を解決するための手段】
【００１２】
上記課題を解決するために、本発明の請求項１に係る受信装置は、周波数拡散された伝送信号の受信装置であって、それぞれが個別に動作状態と停止状態の切り替えが可能でかつそれぞれが異なる通過周波数帯域を有する複数の帯域通過フィルタ部と、それぞれが個別に動作状態と停止状態の切り替えが可能でかつ前記複数の帯域通過フィルタ部にそれぞれ接続された複数の遅延検波部と、前記複数の遅延検波部の出力信号の一つを選択するかまたは前記複数の遅延検波部の出力信号から一つの信号を合成する合成部と、前記合成部の出力信号からダウンサンプリングを行うダウンサンプラー部と、前記ダウンサンプラー部の出力信号から符号間干渉を除去するロールオフフィルタ部と、前記ロールオフフィルタ部の出力信号からプリアンブルパターンを検出するプリアンブル検出部と、前記ロールオフフィルタ部の出力信号からパケットデータのヘッダ情報の解析を行いパケットの組立を行うパケット処理部とを含む処理ブロックとを備え、前記プリアンブル検出部がプリアンブルパターンを検出するまでは前記帯域通過フィルタ部および前記遅延検波部のうち少なくとも一つの処理ブロックを停止状態にしたパケットデータ待機状態で受信動作を行い、プリアンブルパターンが検出された後はパケットデータの受信が完了するまで全ての前記処理ブロックを動作させて受信動作を行い、パケットデータの受信終了後は再び前記パケットデータ待機状態に戻り受信動作を行うものである。
【００１３】
上記構成によれば、受信待ち状態で帯域通過フィルタおよび遅延検波部の回路動作を一部停止状態にすることができるため、新しいパケットのプリアンブルを検出するまで全ての回路を常時動作させておく従来の受信装置に比べて消費電力を低減することができる。
【００１４】
本発明の請求項２に係る受信装置は、請求項１記載の受信装置において、前記パケットデータ待機状態では前記複数の帯域通過フィルタ部のうち一つの帯域通過フィルタ部のみを動作状態にし、他の帯域通過フィルタ部を停止状態にするものである。
【００１５】
本発明の請求項３に係る受信装置は、請求項１記載の受信装置において、前記パケットデータ待機状態では前記複数の遅延検波部のうち一つの遅延検波部のみを動作状態にし、他の遅延検波部を停止状態にするものである。
【００１６】
本発明の請求項４に係る受信装置は、請求項１記載の受信装置において、前記パケットデータ待機状態では前記複数の帯域通過フィルタ部と前記帯域通過フィルタ部にそれぞれ接続された複数の遅延検波部のうち一つの系統の帯域通過フィルタ部と遅延検波部のみを動作状態にし、他の系統の帯域通過フィルタ部と遅延検波部を停止状態にするものである。
【００１７】
本発明の請求項５に係る受信装置は、請求項１記載の受信装置において、前記ダウンサンプラー部は一部の回路について動作状態と停止状態の切り替えが可能であり、前記パケットデータ待機状態では前記ダウンサンプラー部の一部の回路を停止状態にするものである。
【００１８】
上記構成によれば、ダウンサンプラー部の下位ビットを動作停止状態にして、例えば演算精度を落としてダウンサンプリングすることができるため、受信待ち状態での消費電力をさらに低減することができる。
【００１９】
本発明の請求項６に係る受信装置は、請求項１記載の受信装置において、前記ロールオフフィルタ部は一部の回路について動作状態と停止状態の切り替えが可能であり、前記パケットデータ待機状態では前記ロールオフフィルタ部の一部の回路を停止状態にするものである。
【００２０】
上記構成によれば、ロールオフフィルタ部の下位ビットを動作停止状態にして、例えば演算精度を落として符号間干渉の除去を行うことができるため、受信待ち状態での消費電力をさらに低減することができる。
【００２１】
本発明の請求項７に係る受信装置は、請求項１記載の受信装置において、前記プリアンブル検出部は、前記ロールオフフィルタ部の出力信号からプリアンブルパターンを検出する代わりに、前記合成部の出力信号からプリアンブルパターンを検出するものである。
【００２２】
本発明の請求項８に係る受信装置は、請求項７記載の受信装置において、前記ダウンサンプラー部は動作状態と停止状態の切り替えが可能であり、前記パケットデータ待機状態において、前記ダウンサンプラー部を停止状態にするものである。
【００２３】
本発明の請求項９に係る受信装置は、請求項７記載の受信装置において、前記ロールオフフィルタ部は動作状態と停止状態の切り替えが可能であり、前記パケットデータ待機状態において、前記ロールオフフィルタ部を停止状態にするものである。
【００２４】
上記請求項７から９の構成によれば、受信待ち状態で帯域通過フィルタおよび遅延検波部の一部と、ダウンサンプラー部およびロールオフフィルタ部の回路動作を停止状態にすることができるため、受信待ち状態での消費電力をさらに低減することができる。
【００２５】
本発明の請求項１０に係る受信装置は、請求項１記載の受信装置において、前記合成部の出力信号と前記複数の遅延検波部の出力信号とを比較し、前記合成部の出力信号と最も差異の小さい信号を出力している遅延検波部を検知する比較検出部を備え、前記パケットデータ待機状態において、前記複数の帯域通過フィルタ部と前記帯域通過フィルタ部にそれぞれ接続された複数の遅延検波部のうち前記比較検出部で前記合成部の出力信号と最も差異の小さい信号を出力していることが検知された一系統の帯域通過フィルタ部と遅延検波部のみを動作状態にし、他の系統の帯域通過フィルタ部と遅延検波部を停止状態にするものである。
【００２６】
上記構成によれば、合成部の出力との差異が最も小さい信号を出力している遅延検波部とその系統の帯域通過フィルタ部を動作状態に置くブロックとして選択することにより、周波数拡散された伝送信号の帯域から最も良好な出力が得られる帯域を使用してプリアンブルパターンの検出を行うことができるため、受信待ち状態における消費電力を低減しながら受信装置の安定動作を確保することができる。
【００２７】
本発明の請求項１１に係る受信装置は、請求項１０記載の受信装置において、前記パケットデータ待機状態において一定時間の経過が検出された直後のプリアンブルパターンの検出に際しては、全ての前記帯域通過フィルタ部と全ての前記遅延検波部を動作させるものである。
【００２８】
上記構成によれば、受信待ち制御部は受信待ち状態の一定時間経過毎に周期制御部からの通知を受け、次のプリアンブルパターンの検出の際は、停止状態であった全てのブロックを動作状態へ切り替え、全周波数帯域の信号を使ってプリアンブル検出を行うため、定期的に最も良好な出力が得られる帯域を捕捉するように修正してプリアンブルパターンの検出を行うことができる。
【発明の効果】
【００２９】
本発明の受信装置によれば、おのおの独立して動作状態と停止状態を制御できる周波数帯域通過フィルタ部と遅延検波部を有することにより、従来の方式に比べて受信待ち状態における装置の消費電力が低減することができる。
【発明を実施するための最良の形態】
【００３０】
（第１の実施形態）
図１は本発明の第１の実施形態による周波数拡散された伝送信号の受信装置の構成を示すブロック図である。本実施形態では周波数帯域の分割が二つの場合を示している。図１において、受信装置は、通過周波数帯域の異なる二つの帯域通過フィルタ部１１ａ、１１ｂと、遅延検波部１２ａ、１２ｂと、合成部１３と、ダウンサンプラー部１４と、ロールオフフィルタ部１５と、パケット処理部１６と、プリアンブル検出部１７と、受信待ち制御部１８から構成される。
【００３１】
帯域通過フィルタ部１１ａ、１１ｂと遅延検波部１２ａ、１２ｂは、おのおの独立して動作状態と停止状態が切り替え可能なものである。
【００３２】
伝送信号が受信されていない状態、すなわちプリアンブルが検出されず、かつパケットの組立を行っていない受信待ち状態においては、受信待ち制御部１８がそれを検知して帯域通過フィルタ部１１ａ、１１ｂと遅延検波部１２ａ、１２ｂを制御し、いずれか一方の系統を停止状態にする。
【００３３】
すなわち、二つの帯域通過フィルタ部のうちいずれか一つを停止状態にするか、一つの帯域通過フィルタ部と一つの遅延検波部（帯域通過フィルタ部１１ａと遅延検波部１２ａ、または帯域通過フィルタ部１１ｂと遅延検波部１２ｂ）を停止状態にする。
【００３４】
このとき、合成部１３、ダウンサンプラー部１４、ロールオフフィルタ部１５、パケット処理部１６、プリアンブル検出部１７、受信待ち制御部１８は動作状態である。
【００３５】
受信待ち状態において、先頭にデータの開始前を表すプリアンブルパターンが付加されたパケットデータが、変調されて周波数拡散された伝送信号として帯域通過フィルタ部１１ａ、１１ｂに入力される。
【００３６】
動作状態の帯域通過フィルタからは帯域制限された信号が出力されるが、停止状態の帯域通過フィルタからは信号は出力されない。帯域制限された信号は遅延検波部１２ａ、１２ｂに入力されるが、停止状態の遅延検波部からは信号は出力されない。その結果、ただ一つの遅延検波部の出力信号のみが合成部１３へ入力される。
【００３７】
合成部１３へ入力される遅延検波部の出力信号はただ一つであるため、そのまま合成部１３を通過してダウンサンプラー部１４に入力される。ここでダウンサンプリングされた出力信号がロールオフフィルタ部１５で符号間干渉が除去され、プリアンブル検出部１７とパケット処理部１６へ入力される。
【００３８】
ロールオフフィルタ部１５の出力にデータの開始前を表すプリアンブルパターンが含まれていると、プリアンブル検出部１７がパケットデータ開始前を検知し、受信待ち制御部１８とパケット処理部１６へ通知する。
【００３９】
受信待ち制御部１８はプリアンブルの検出通知を受けて受信待ち状態からデータ受信状態に遷移し、帯域通過フィルタ１１ａ、１１ｂおよび遅延検波部１２ａ、１２ｂのうちで停止状態にあったブロックを動作状態にし、全ての周波数帯域の信号を使って復調を行う。
【００４０】
パケット処理部１６ではプリアンブルパターンの後に続くデータの先頭を検索し、データがあった場合はそのデータを解析してパケットの組立を行い、パケットデータを出力した後にデータ受信完了を通知し、データが無かった場合はデータ無効を通知する。
【００４１】
パケット処理部１６の通知を受けてプリアンブル検出部は再びプリアンブル検索を開始し、受信待ち制御部１８は受信待ち状態へと状態を遷移し、帯域通過フィルタ１１ａ、１１ｂおよび遅延検波部１２ａ、１２ｂは受信待ち制御部１８の制御を受けて再び一部の回路が停止状態になる。
【００４２】
以上のように、本実施形態によれば、受信待ち状態で帯域通過フィルタおよび遅延検波部の回路動作を一部停止状態にすることができるため、新しいパケットのプリアンブルを検出するまで全ての回路を常時動作させておく従来の受信装置に比べて消費電力を低減することができる。
【００４３】
（第２の実施形態）
図２は本発明の第２の実施形態による周波数拡散された伝送信号の受信装置の構成を示すブロック図である。本実施形態でも周波数帯域の分割が二つの場合を示している。図２において、受信装置は、通過周波数帯域の異なる二つの帯域通過フィルタ部２１ａ、２１ｂと、遅延検波部２２ａ、２２ｂと、合成部２３と、ダウンサンプラー部２４と、ロールオフフィルタ部２５と、パケット処理部２６と、プリアンブル検出部２７と、受信待ち制御部２８から構成される。
【００４４】
帯域通過フィルタ部２１ａ、２１ｂと遅延検波部２２ａ、２２ｂは、おのおの独立して動作状態と停止状態が切り替え可能なものである。
【００４５】
また、ダウンサンプラー部２４とロールオフフィルタ部２５は、デジタルフィルタの係数演算において、その下位ビットの演算部を停止状態にして演算精度を落とすことが可能なものである。
【００４６】
伝送信号が受信されていない状態、すなわちプリアンブルが検出されず、かつパケットの組立を行っていない受信待ち状態においては、受信待ち制御部２８がそれを検知して帯域通過フィルタ部２１ａ、２１ｂ、遅延検波部２２ａ、２２ｂ、ダウンサンプラー部２４、ロールオフフィルタ部２５を制御し、帯域通過フィルタ部と遅延検波部についてはいずれか一方の系統を停止状態にする。
【００４７】
すなわち、二つの帯域通過フィルタ部のうちいずれか一つを停止状態にするか、一つの帯域通過フィルタ部と一つの遅延検波部（帯域通過フィルタ部２１ａと遅延検波部２２ａ、または帯域通過フィルタ部２１ｂと遅延検波部２２ｂ）を停止状態にする。
【００４８】
また、ダウンサンプラー部２４およびロールオフフィルタ部２５は下位ビットの演算部を停止状態にする。合成部２３、パケット処理部２６、プリアンブル検出部２７、受信待ち制御部２８は動作状態である。
【００４９】
受信待ち状態において、先頭にデータの開始前を表すプリアンブルパターンが付加されたパケットデータが、変調されて周波数拡散された伝送信号として帯域通過フィルタ部２１ａ、２１ｂに入力される。
【００５０】
動作状態の帯域通過フィルタからは帯域制限された信号が出力されるが、停止状態の帯域通過フィルタからは信号は出力されない。帯域制限された信号は遅延検波部２２ａ、２２ｂに入力されるが、停止状態の遅延検波部からは信号は出力されない。その結果、ただ一つの遅延検波部の出力信号のみが合成部２３へ入力される。
【００５１】
合成部２３へ入力される遅延検波部の出力信号はただ一つであるため、そのまま合成部２３を通過してダウンサンプラー部２４に入力される。ここで演算精度を落としてダウンサンプリングされた出力信号がロールオフフィルタ部２５で演算精度を落として符号間干渉が除去され、プリアンブル検出部２７とパケット処理部２６へ入力される。
【００５２】
ロールオフフィルタ部２５の出力にデータの開始前を表すプリアンブルパターンが含まれていると、プリアンブル検出部２７がパケットデータ開始前を検知し、受信待ち制御部２８へ通知する。
【００５３】
受信待ち制御部２８はプリアンブルの検出通知を受けて受信待ち状態からデータ受信状態に遷移し、帯域通過フィルタ２１ａ、２１ｂおよび遅延検波部２２ａ、２２ｂのうちで停止状態にあったブロックを動作状態にし、全ての周波数帯域の信号を使って復調を行い、ダウンサンプラー部２４およびロールオフフィルタ部２５では停止状態にあった演算ビットを動作状態にし、全てのビットを使って演算を行う。
【００５４】
パケット処理部２６ではプリアンブルパターンの後に続くデータの先頭を検索し、データがあった場合はそのデータを解析してパケットの組立を行い、パケットデータを出力した後にデータ受信完了を通知し、データが無かった場合はデータ無効を通知する。
【００５５】
パケット処理部２６の通知を受けてプリアンブル検出部は再びプリアンブル検索を開始し、受信待ち制御部２８は受信待ち状態へと状態を遷移し、帯域通過フィルタ２１ａ、２１ｂ、遅延検波部２２ａ、２２ｂ、ダウンサンプラー部２４、ロールオフフィルタ部２５は受信待ち制御部２８の制御を受けて再び一部の回路が停止状態になる。
【００５６】
以上のように、本実施形態によれば、受信待ち状態で帯域通過フィルタおよび遅延検波部の回路動作を一部停止状態にすることができ、また、ダウンサンプラー部およびロールオフフィルタ部の下位ビットを停止状態にすることができるため、第１の実施形態の受信装置に比べて受信待ち状態での消費電力をさらに低減することができる。
【００５７】
（第３の実施形態）
図３は本発明の第３の実施形態による周波数拡散された伝送信号の受信装置の構成を示すブロック図である。本実施形態でも周波数帯域の分割が二つの場合を示している。図３において、受信装置は、通過周波数帯域の異なる二つの帯域通過フィルタ部３１ａ、３１ｂと、遅延検波部３２ａ、３２ｂと、合成部３３と、ダウンサンプラー部３４と、ロールオフフィルタ部３５と、パケット処理部３６と、プリアンブル検出部３７と、受信待ち制御部３８から構成される。
【００５８】
帯域通過フィルタ部３１ａ、３１ｂと遅延検波部３２ａ、３２ｂは、おのおの独立して動作状態と停止状態が切り替え可能なものである。また、ダウンサンプラー部３４とロールオフフィルタ部３５も動作状態と停止状態が切り替え可能なものである。
【００５９】
伝送信号が受信されていない状態、すなわちプリアンブルが検出されず、かつパケットの組立を行っていない受信待ち状態においては、受信待ち制御部３８がそれを検知して帯域通過フィルタ部３１ａ、３１ｂ、遅延検波部３２ａ、３２ｂ、ダウンサンプラー部３４、ロールオフフィルタ部３５を制御し、帯域通過フィルタ部と遅延検波部についてはいずれか一方の系統を停止状態にし、また、ダウンサンプラー部３４およびロールオフフィルタ部３５を停止状態する。
【００６０】
すなわち、二つの帯域通過フィルタ部のうちいずれか一つを停止状態にするか、一つの帯域通過フィルタ部と一つの遅延検波部（帯域通過フィルタ部３１ａと遅延検波部３２ａ、または帯域通過フィルタ部３１ｂと遅延検波部３２ｂ）を停止状態にする。
【００６１】
このとき、合成部３３、パケット処理部３６、プリアンブル検出部３７、受信待ち制御部３８は動作状態である。
【００６２】
受信待ち状態において、先頭にデータの開始前を表すプリアンブルパターンが付加されたパケットデータが、変調されて周波数拡散された伝送信号として帯域通過フィルタ部３１ａ、３１ｂに入力される。
【００６３】
動作状態の帯域通過フィルタからは帯域制限された信号が出力されるが、停止状態の帯域通過フィルタからは信号は出力されない。帯域制限された信号は遅延検波部３２ａ、３２ｂに入力されるが、停止状態の遅延検波部からは信号は出力されない。その結果、ただ一つの遅延検波部の出力信号のみが合成部３３へ入力される。
【００６４】
合成部３３へ入力される遅延検波部の出力信号はただ一つであるため、そのまま合成部３３を通過してプリアンブル検出部３７とダウンサンプラー部３４へ入力される。
【００６５】
合成部３３の出力にデータの開始前を表すプリアンブルパターンが含まれていると、プリアンブル検出部３７がパケットデータ開始前を検知し、受信待ち制御部３８とパケット処理部３６へ通知する。
【００６６】
受信待ち制御部３８はプリアンブルの検出通知を受けて受信待ち状態からデータ受信状態に遷移し、帯域通過フィルタ３１ａ、３１ｂ、遅延検波部３２ａ、３２ｂ、ダウンサンプラー部３４、ロールオフフィルタ部３５のうちで停止状態にあったブロックを動作状態にし、全ての周波数帯域の信号を使って復調を行う。
【００６７】
ダウンサンプラー部３４でダウンサンプリングされた出力信号はロールオフフィルタ部３５で符号間干渉が除去され、パケット処理部３６へ入力される。
【００６８】
パケット処理部３６ではプリアンブルパターンの後に続くデータの先頭を検索し、データがあった場合はそのデータを解析してパケットの組立を行い、パケットデータを出力した後にデータ受信完了を通知し、データが無かった場合はデータ無効を通知する。
【００６９】
パケット処理部３６の通知を受けてプリアンブル検出部は再びプリアンブル検索を開始し、受信待ち制御部３８は受信待ち状態へと状態を遷移し、帯域通過フィルタ３１ａ、３１ｂ、遅延検波部３２ａ、３２ｂ、ダウンサンプラー部３４、ロールオフフィルタ部３５は受信待ち制御部３８の制御を受けて再び一部の回路が停止状態になる。
【００７０】
以上のように、本実施形態によれば、受信待ち状態で帯域通過フィルタ、遅延検波部、ダウンサンプラー部、ロールオフフィルタ部の回路動作を一部停止状態にすることができるため、第１の実施形態の受信装置に比べて受信待ち状態での消費電力をさらに低減することができる。
【００７１】
（第４の実施形態）
図４は本発明の第４の実施形態による周波数拡散された伝送信号の受信装置の構成を示すブロック図である。本実施形態でも周波数帯域の分割が二つの場合を示している。図４において、受信装置は、通過周波数帯域の異なる二つの帯域通過フィルタ部４１ａ、４１ｂと、遅延検波部４２ａ、４２ｂと、合成部４３と、ダウンサンプラー部４４と、ロールオフフィルタ部４５と、パケット処理部４６と、プリアンブル検出部４７と、受信待ち制御部４８と、比較検出部４９から構成される。
【００７２】
帯域通過フィルタ部４１ａ、４１ｂと遅延検波部４２ａ、４２ｂは、おのおの独立して動作状態と停止状態が切り替え可能なものである。また、ダウンサンプラー部４４とロールオフフィルタ部４５も動作状態と停止状態が切り替え可能なものである。
【００７３】
伝送信号が受信されていない状態、すなわちプリアンブルが検出されず、かつパケットの組立を行っていない受信待ち状態においては、受信待ち制御部４８がそれを検知して帯域通過フィルタ部４１ａ、４１ｂ、遅延検波部４２ａ、４２ｂ、ダウンサンプラー部４４、ロールオフフィルタ部４５を制御し、帯域通過フィルタ部と遅延検波部についてはいずれか一方の系統を停止状態にし、また、ダウンサンプラー部４４およびロールオフフィルタ部４５を停止状態する。
【００７４】
すなわち、二つの帯域通過フィルタ部のうちいずれか一つを停止状態にするか、一つの帯域通過フィルタ部と一つの遅延検波部（帯域通過フィルタ部４１ａと遅延検波部４２ａ、または帯域通過フィルタ部４１ｂと遅延検波部４２ｂ）を停止状態にする。
【００７５】
このとき、合成部４３、パケット処理部４６、プリアンブル検出部４７、受信待ち制御部４８は動作状態である。
【００７６】
受信待ち状態において、先頭にデータの開始前を表すプリアンブルパターンが付加されたパケットデータが、変調されて周波数拡散された伝送信号として帯域通過フィルタ部４１ａ、４１ｂに入力される。
【００７７】
動作状態の帯域通過フィルタからは帯域制限された信号が出力されるが、停止状態の帯域通過フィルタからは信号は出力されない。帯域制限された信号は遅延検波部４２ａ、４２ｂに入力されるが、停止状態の遅延検波部からは信号は出力されない。その結果、ただ一つの遅延検波部の出力信号のみが合成部４３へ入力される。
【００７８】
合成部４３へ入力される遅延検波部の出力信号はただ一つであるため、そのまま合成部４３を通過してプリアンブル検出部４７、ダウンサンプラー部４４、比較検出部４９へ入力される。
【００７９】
合成部４３の出力にデータの開始前を表すプリアンブルパターンが含まれていると、プリアンブル検出部４７がパケットデータ開始前を検知し、受信待ち制御部４８、パケット処理部４６、比較検出部４９へ通知する。
【００８０】
受信待ち制御部４８はプリアンブルの検出通知を受けて受信待ち状態からデータ受信状態に遷移し、帯域通過フィルタ４１ａ、４１ｂ、遅延検波部４２ａ、４２ｂ、ダウンサンプラー部４４、ロールオフフィルタ部４５のうちで停止状態にあったブロックを動作状態にし、全ての周波数帯域の信号を使って復調を行う。
【００８１】
ダウンサンプラー部４４でダウンサンプリングされた出力信号はロールオフフィルタ部４５で符号間干渉が除去され、パケット処理部４６へ入力される。
【００８２】
パケット処理部４６ではプリアンブルパターンの後に続くデータの先頭を検索し、データがあった場合はそのデータを解析してパケットの組立を行い、パケットデータを出力した後にデータ受信完了を通知し、データが無かった場合はデータ無効を通知する。
【００８３】
比較検出部４９はプリアンブル検出通知を受けて動作状態になった全ての帯域通過フィルタ４１ａ、４１ｂ、遅延検波部４２ａ、４２ｂの各周波数帯域別の遅延検波出力と、合成部４３の出力とを比較し、その差異が最も小さい信号を出力している遅延検波部を検知し、その情報を受信待ち制御部４８へ通知する。
【００８４】
パケット処理部４６のデータ受信完了通知もしくはデータ無効通知を受けてプリアンブル検出部は改めてプリアンブル検索を開始し、受信待ち制御部４８は受信待ち状態へと状態を遷移し、比較検出部４９から通知された情報に従って、合成部４３の出力との差異が最も小さい信号を出力している遅延検波部とその系統の帯域通過フィルタ部を動作状態に置き、それ以外を停止状態にさせる。また、ダウンサンプラー部４４およびロールオフフィルタ部４５も受信待ち制御部４８の制御を受けて再び停止状態になる。
【００８５】
以上のように、本実施形態によれば、第３の実施形態の効果に加えて、合成部の出力との差異が最も小さい信号を出力している遅延検波部とその系統の帯域通過フィルタ部を動作状態に置くブロックとして選択することにより、周波数拡散された伝送信号の帯域から最も良好な出力が得られる帯域を使用してプリアンブルパターンの検出を行うことができるため、受信待ち状態における消費電力を低減しながら受信装置の安定動作を確保することができる。
【００８６】
（第５の実施形態）
図６は本発明の第５の実施形態による周波数拡散された伝送信号の受信装置の構成を示すブロック図である。本実施形態でも周波数帯域の分割が二つの場合を示している。図６において、受信装置は、通過周波数帯域の異なる二つの帯域通過フィルタ部６１ａ、６１ｂと、遅延検波部６２ａ、６２ｂと、合成部６３と、ダウンサンプラー部６４と、ロールオフフィルタ部６５と、パケット処理部６６と、プリアンブル検出部６７と、受信待ち制御部６８と、比較検出部６９と、周期制御部７０から構成される。
【００８７】
帯域通過フィルタ部６１ａ、６１ｂと遅延検波部６２ａ、６２ｂは、おのおの独立して動作状態と停止状態が切り替え可能なものである。また、ダウンサンプラー部６４とロールオフフィルタ部６５も動作状態と停止状態が切り替え可能なものである。
【００８８】
伝送信号が受信されていない状態、すなわちプリアンブルを検出されず、かつパケットの組立を行っていない受信待ち状態においては、受信待ち制御部６８がそれを検知して帯域通過フィルタ部６１ａ、６１ｂ、遅延検波部６２ａ、６２ｂ、ダウンサンプラー部６４、ロールオフフィルタ部６５を制御し、帯域通過フィルタ部と遅延検波部についてはいずれか一方の系統を停止状態にし、また、ダウンサンプラー部６４およびロールオフフィルタ部６５を停止状態する。
【００８９】
すなわち、二つの帯域通過フィルタ部のうちいずれか一つを停止状態にするか、一つの帯域通過フィルタ部と一つの遅延検波部（帯域通過フィルタ部６１ａと遅延検波部６２ａ、または帯域通過フィルタ部６１ｂと遅延検波部６２ｂ）を停止状態にする。
【００９０】
このとき、合成部６３、パケット処理部６６、プリアンブル検出部６７、受信待ち制御部６８は動作状態である。
【００９１】
受信待ち状態において、先頭にデータの開始前を表すプリアンブルパターンが付加されたパケットデータが、変調されて周波数拡散された伝送信号として帯域通過フィルタ部６１ａ、６１ｂに入力される。
【００９２】
動作状態の帯域通過フィルタからは帯域制限された信号が出力されるが、停止状態の帯域通過フィルタからは信号は出力されない。帯域制限された信号は遅延検波部６２ａ、６２ｂに入力されるが、停止状態の遅延検波部からは信号は出力されない。その結果、ただ一つの遅延検波部の出力信号のみが合成部６３へ入力される。
【００９３】
合成部６３へ入力される遅延検波部の出力信号はただ一つであるため、そのまま合成部６３を通過してプリアンブル検出部６７、ダウンサンプラー部６４、比較検出部６９へ入力される。
【００９４】
合成部６３の出力にデータの開始前を表すプリアンブルパターンが含まれていると、プリアンブル検出部６７がパケットデータ開始前を検知し、受信待ち制御部６８、パケット処理部６６、比較検出部６９へ通知する。
【００９５】
受信待ち制御部６８はプリアンブルの検出通知を受けて受信待ち状態からデータ受信状態に遷移し、帯域通過フィルタ６１ａ、６１ｂ、遅延検波部６２ａ、６２ｂ、ダウンサンプラー部６４、ロールオフフィルタ部６５のうちで停止状態にあったブロックを動作状態にし、全ての周波数帯域の信号を使って復調を行う。
【００９６】
ダウンサンプラー部６４でダウンサンプリングされた出力信号はロールオフフィルタ部６５で符号間干渉が除去され、パケット処理部６６へ入力される。
【００９７】
パケット処理部６６ではプリアンブルパターンの後に続くデータの先頭を検索し、データがあった場合はそのデータを解析してパケットの組立を行い、パケットデータを出力した後にデータ受信完了を通知し、データが無かった場合はデータ無効を通知する。
【００９８】
比較検出部６９はプリアンブル検出通知を受けて動作状態になった全ての帯域通過フィルタ６１ａ、６１ｂ、遅延検波部６２ａ、６２ｂの各周波数帯域別の遅延検波出力と、合成部６３の出力とを比較し、その差異が最も小さい信号を出力している遅延検波部を検知し、その情報を受信待ち制御部６８へ通知する。
【００９９】
パケット処理部６６のデータ受信完了通知もしくはデータ無効通知を受けてプリアンブル検出部は改めてプリアンブル検索を開始し、受信待ち制御部６８は受信待ち状態へと状態を遷移し、比較検出部６９から通知された情報に従って、合成部６３の出力との差異が最も小さい信号を出力している遅延検波部とその系統の帯域通過フィルタ部を動作状態に置き、それ以外を停止状態にさせる。ダウンサンプラー部６４およびロールオフフィルタ部６５も受信待ち制御部６８の制御を受けて再び停止状態になる。
【０１００】
周期制御部７０は受信待ち状態に遷移した時点からの一定時間の経過を検出して受信待ち制御部６８に通知し、受信待ち制御部６８は次のプリアンブルの検出通知を受けると受信待ち状態からデータ受信状態に遷移し、帯域通過フィルタ６１ａ、６１ｂ、遅延検波部６２ａ、６２ｂの停止状態であったブロックを動作状態へ切り替えて、全周波数帯域の信号を使ってプリアンブル検出を行う。
【０１０１】
合成部６３の出力にデータの開始前を表すプリアンブルパターンが含まれていると、プリアンブル検出部６７がパケットデータ開始前を検知し、受信待ち制御部６８、パケット処理部６６、比較検出部６９へ通知する。
【０１０２】
パケット処理部６６ではプリアンブルパターンの後に続くデータの先頭を検索し、データがあった場合はそのデータを解析してパケットの組立を行い、パケットデータを出力した後にデータ受信完了を通知し、データが無かった場合はデータ無効を通知する。
【０１０３】
比較検出部６９はプリアンブル検出時にすでに全回路が動作状態になっている帯域通過フィルタ６１ａ、６１ｂ、遅延検波部６２ａ、６２ｂの各出力と合成部６３の出力を比較し、その差異が最も小さい信号を出力している遅延検波部の出力を検知し、その情報を受信待ち制御部６８へ通知する。
【０１０４】
パケット処理部６６のデータ受信完了通知もしくはデータ無効通知を受けてプリアンブル検出部は改めてプリアンブル検索を開始し、受信待ち制御部６８は受信待ち状態へと状態を遷移し、比較検出部６９から通知された情報に従って、合成部６３の出力との差異が最も小さい信号を出力している遅延検波部とその系統の帯域通過フィルタ部以外を停止状態にさせる。ダウンサンプラー部６４およびロールオフフィルタ部６５も受信待ち制御部６８の制御を受けて再び停止状態になる。
【０１０５】
以上のように、本実施形態によれば、受信待ち制御部は受信待ち状態の一定時間経過毎に周期制御部からの通知を受けて、次のプリアンブル検出に際しては、停止状態であった全てのブロックを動作状態へ切り替え、全周波数帯域の信号を使ってプリアンブル検出を行うため、第４の実施形態の効果に加えて、定期的に最も良好な出力が得られる帯域を捕捉するように修正してプリアンブルパターンの検出を行うことができる。
【産業上の利用可能性】
【０１０６】
本発明にかかる周波数拡散された変調信号を受信し復調する受信装置は、おのおの独立して動作状態と停止状態を制御できる周波数帯域通過フィルタ部と遅延検波部を有し、受信待ち状態での消費電力を削減する手段として有用である。
【図面の簡単な説明】
【０１０７】
【図１】本発明の第１の実施形態による受信装置の構成を示すブロック図。
【図２】本発明の第２の実施形態による受信装置の構成を示すブロック図。
【図３】本発明の第３の実施形態による受信装置の構成を示すブロック図。
【図４】本発明の第４の実施形態による受信装置の構成を示すブロック図。
【図５】従来の受信装置の構成例を示すブロック図。
【図６】本発明の第５の実施形態による受信装置の構成を示すブロック図。
【符号の説明】
【０１０８】
１１ａ、１１ｂ、２１ａ、２１ｂ、３１ａ、３１ｂ、４１ａ、４１ｂ、５１ａ、５１ｂ、６１ａ、６１ｂ  帯域通過フィルタ部
１２ａ、１２ｂ、２２ａ、２２ｂ、３２ａ、３２ｂ、４２ａ、４２ｂ、５２ａ、５２ｂ、６２ａ、６２ｂ  遅延検波部
１３、２３、３３、４３、５３、６３  合成部
１４、２４、３４、４４、５４、６４  ダウンサンプラー部
１５、２５、３５、４５、５５、６５  ロールオフフィルタ部
１６、２６、３６、４６、５６、６６  パケット処理部
１７、２７、３７、４７、５７、６７  プリアンブル検出部
１８、２８、３８、４８、６８        受信待ち制御部
４９、６９  比較検出部
７０        周期制御部
【図１】
2006115071.tif 000003
【図２】
2006115071.tif 000004
【図３】
2006115071.tif 000005
【図４】
2006115071.tif 000006
【図５】
2006115071.tif 000007
【図６】
2006115071.tif 000008